(57)【要約】【課題】所望のオブジェクトを表示させる操作手順を低減できる表示装置、及び画像形成装置を提供する。【解決手段】表示装置１は、表示部２と、抽出部４１と、表示制御部４６とを備える。表示部２は、第１オブジェクト３３を表示する。抽出部４１は、第１オブジェクト３３に対する所定の操作が検出されると、所定の条件を満足する第２オブジェクト３４を抽出する。表示制御部４６は、第２オブジェクト３４を表示させる。表示制御部４６は、第２オブジェクト３４の表示後に、第１オブジェクト３３に対する離間操作が検出された場合に、第２オブジェクト３４に換えて第３オブジェクト３５を表示させ、第１オブジェクト３３と異なる領域に対する離間操作が検出された場合に、第２オブジェクト３４を継続して表示させる。【選択図】図２
2017194858.tif 000002
【特許請求の範囲】
【請求項１】
タッチセンサーを含み、第１オブジェクトを表示する表示部と、
前記タッチセンサーを介して前記第１オブジェクトに対する所定の操作が検出されると、前記第１オブジェクトの属する階層よりも下位の各階層に属する複数の第２オブジェクトから、所定の条件を満足する第２オブジェクトを抽出する抽出部と、
前記抽出された第２オブジェクトを表示するように、前記表示部を制御する表示制御部と
を備え、
前記表示制御部は、
前記タッチセンサーを介して前記第１オブジェクトに対する離間操作が、前記第２オブジェクトの表示後に検出された場合に、前記第２オブジェクトに換えて、前記第１オブジェクトの属する階層よりも下位の階層に属する第３オブジェクトを表示するように、前記表示部を制御し、
前記タッチセンサーを介して前記第１オブジェクトと異なる領域に対する離間操作が、前記第２オブジェクトの表示後に検出された場合に、前記第２オブジェクトを継続して表示するように、前記表示部を制御する、表示装置。
【請求項２】
前記所定の条件が複数定められ、
前記第１オブジェクトを複数の領域に区分して、前記複数の領域に、それぞれ、前記複数の所定の条件を割り当てる割当部をさらに備え、
前記抽出部は、前記タッチセンサーを介して前記複数の領域のうちいずれか１つの領域に対する前記所定の操作が検出されると、前記複数の第２オブジェクトから、前記１つの領域に割り当てられた前記所定の条件を満足する第２オブジェクトを抽出し、
前記表示制御部は、前記抽出された第２オブジェクトを表示するように、前記表示部を制御する、請求項１に記載の表示装置。
【請求項３】
前記第１オブジェクトは、最も上位の階層に属する、請求項１又は請求項２に記載の表示装置。
【請求項４】
ウィンドウを生成する生成部をさらに備え、
前記抽出部は、前記複数の第２オブジェクトから所定数の第２オブジェクトを抽出し、
前記生成部は、前記所定数の第２オブジェクトを配して前記ウィンドウを生成する、請求項１から請求項３のいずれか１項に記載の表示装置。
【請求項５】
前記表示制御部は、前記第１オブジェクトと異なる領域に前記ウィンドウを表示するように、前記表示部を制御する、請求項４に記載の表示装置。
【請求項６】
前記所定の条件は、前記複数の第２オブジェクトのアクセス回数、前記複数の第２オブジェクトのアクセス日時、前記複数の第２オブジェクトのファイル形式、又は、前記複数の第２オブジェクトのファイル保有数を含む、請求項１から請求項５のいずれか１項に記載の表示装置。
【請求項７】
請求項１から請求項６のいずれか１項に記載の表示装置と、
シートに画像を形成する画像形成部と
を備える、画像形成装置。
【発明の詳細な説明】
【技術分野】
【０００１】
本発明は、表示装置、及び画像形成装置に関する。
【背景技術】
【０００２】
特許文献１に記載の表示装置は、タッチセンサーを含む表示部と、制御部とを備える。表示部は、ファイル及びフォルダーのようなオブジェクトを階層構造で表示する。タッチセンサーは、表示されるオブジェクトに対する所定の操作を検出する。制御部は、オブジェクトに対する所定の操作が検出されると、オブジェクトの属する階層の下位の階層に属するオブジェクトを表示するように、表示部を制御する。
【先行技術文献】
【特許文献】
【０００３】
【特許文献１】特開２００４−２８９６９１号公報
【発明の概要】
【発明が解決しようとする課題】
【０００４】
しかしながら、特許文献１に記載の表示装置では、所望のオブジェクトが表示されるオブジェクトの属する階層よりも何層か下位の階層に属する場合に、所望のオブジェクトを表示させるには、所定の操作を繰り返して行う必要がある。したがって、所望のオブジェクトを表示させるには、多くの操作手順を要する。
【０００５】
本発明は上記課題に鑑みてなされたものであり、その目的は、所望のオブジェクトを表示させる操作手順を低減できる表示装置、及び画像形成装置を提供することにある。
【課題を解決するための手段】
【０００６】
本発明に係る表示装置は、表示部と、抽出部と、表示制御部とを備える。前記表示部は、タッチセンサーを含み、第１オブジェクトを表示する。前記抽出部は、前記タッチセンサーを介して前記第１オブジェクトに対する所定の操作が検出されると、前記第１オブジェクトの属する階層よりも下位の各階層に属する複数の第２オブジェクトから、所定の条件を満足する第２オブジェクトを抽出する。前記表示制御部は、前記抽出された第２オブジェクトを表示するように、前記表示部を制御する。また、前記表示制御部は、前記第２オブジェクトの表示後に、前記タッチセンサーを介して前記第１オブジェクトに対する離間操作が検出された場合に、前記第２オブジェクトに換えて、前記第１オブジェクトの属する階層よりも下位の階層に属する第３オブジェクトを表示するように、前記表示部を制御し、前記タッチセンサーを介して前記第１オブジェクトと異なる領域に対する離間操作が検出された場合に、前記第２オブジェクトを継続して表示するように、前記表示部を制御する。
【０００７】
本発明に係る画像形成装置は、上記の表示装置と、シートに画像を形成する画像形成部とを備える。
【発明の効果】
【０００８】
本発明の情報処理装置によれば、所望のオブジェクトを表示させる操作手順を低減できる。
【図面の簡単な説明】
【０００９】
【図１】本発明の実施形態１に係る表示装置の構成を示す図である。
【図２】図１の表示装置の構成を示すブロック図である。
【図３】（ａ）及び（ｂ）は、図１の表示部が表示する画像及びウィンドウを示す図である。
【図４】図２の制御部の表示制御を示すフローチャートである。
【図５】本発明の実施形態２に係る表示装置の構成を示すブロック図である。
【図６】図５の表示部が表示する画像及びウィンドウを示す図である。
【図７】本発明の実施形態３に係る画像形成装置の構成を示す図である。
【発明を実施するための形態】
【００１０】
以下、図面を参照して本発明の実施形態を説明する。ただし、本発明は以下の実施形態に限定されない。なお、図中、同一又は相当部分については、同一の参照符号を付して説明を繰り返さない。
【００１１】
（実施形態１）
図１から図４を参照して、本発明の実施形態１に係る表示装置１について説明する。図１は、本発明の実施形態に係る表示装置１の構成を示す図である。図１に示すように、表示装置１は、表示部２を備える。
【００１２】
表示部２は、オブジェクト３２を表示する。表示部２は、タッチセンサー２１と、表示面２２と、ホームキー２３とを含む。表示面２２は、液晶のようなディスプレーから構成される。表示面２２には、オブジェクト３２が表示される。
【００１３】
タッチセンサー２１は、所定の操作又は離間操作を検出する。実施形態１のタッチセンサー２１は、スライド操作をさらに検出する。
【００１４】
タッチセンサー２１の構成は、所定の操作、離間操作及びスライド操作の検出が可能である限り、本発明では特に限定されるものではない。タッチセンサー２１は、静電容量方式、抵抗膜方式又は超音波検出方式等を採用することができる。タッチセンサー２１は、所定の操作、離間操作又はスライド操作を検出すると、各操作に対応する信号を生成する。
【００１５】
ここで、所定の操作は、例えば、ユーザーが指又はスタイラスのように被検出物でタッチセンサー２１に軽く触れる操作である。離間操作は、例えば、ユーザーがタッチセンサー２１に触れている被検出物を、タッチセンサー２１から離す操作である。スライド操作は、例えば、ユーザーがタッチセンサー２１に触れている被検出物を、タッチセンサー２１に沿ってスライドする操作である。
【００１６】
タッチセンサー２１は、表示面２２上に配置される。表示面２２に表示されるオブジェクト３２は、タッチセンサー２１を透過する。この結果、ユーザーは、例えば、表示面２２に表示されるオブジェクト３２を参照して、タッチセンサー２１に対して所定の操作、離間操作及びスライド操作を行う。
【００１７】
ホームキー２３は、例えば、ハードキーである。ホームキー２３が押下されると、表示面２２には、例えば、第１オブジェクト３３を含む初期画面（以下、通常画面と記載する。）が表示される。
【００１８】
以下、図１及び図２を参照して表示装置１の構成を説明する。図２は、図１の表示装置１の構成を示すブロック図である。表示装置１は、記憶部３と、制御部４とをさらに備える。
【００１９】
記憶部３は、半導体メモリーのような主記憶装置を有する。記憶部３は、ハードディスクドライブのような補助記憶装置をさらに有する態様であってもよい。記憶部３は、プログラム３１と、オブジェクト３２と、情報３６とを記憶する。記憶部３は、オブジェクト３２と情報３６とを関連付けて記憶する。オブジェクト３２は、例えば、フォルダーと、ファイルとを含む。
【００２０】
情報３６は、所定の条件を含む。所定の条件は、例えば、日時情報、回数情報、形式情報又は保有数情報を含む。また、情報３６は、オブジェクト３２の属する階層の下位の階層に位置するオブジェクト３２を示す下位情報をさらに含む。
【００２１】
日時情報は、例えば、オブジェクト３２がアクセスされた最新のアクセス日時を示す情報である。回数情報は、例えば、オブジェクト３２が所定の期間にアクセスされたアクセス回数を示す情報である。所定の期間は、例えば、１週間である。形式情報は、例えば、オブジェクト３２の属する階層よりも下位の各階層に属するファイルのファイル形式を示す情報である。保有数情報は、例えば、オブジェクト３２の属する階層よりも下位の各階層に属するファイルのファイル数を示す情報である。
【００２２】
制御部４は、記憶部３に記憶されているプログラム３１を実行することによって、数値計算、情報処理又は機器制御のような処理を行う。制御部４は、タッチセンサー２１で生成される信号に基づいて、表示部２を制御する。
【００２３】
制御部４は、プロセッサーを含んで構成されている。制御部４は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を含む。なお、制御部４は、画像処理用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を含む態様であってもよい。
【００２４】
制御部４は、抽出部４１と、生成部４２と、表示制御部４６とを有する。制御部４は、記憶部３に記憶されたプログラム３１を実行することによって、抽出部４１、生成部４２及び表示制御部４６として機能する。
【００２５】
本発明に係る実施形態の制御部４は、オブジェクト３２に対する所定の操作、離間操作又はスライド操作を検出する。制御部４は、例えば、タッチセンサー２１から各操作に応じた座標データが入力されると、表示面２２に表示されるオブジェクト３２の座標データと比較して、オブジェクト３２に対する各操作を検出する。
【００２６】
抽出部４１は、タッチセンサー２１を介して第１オブジェクト３３に対する所定の操作が検出されると、第２オブジェクト３４を抽出する。抽出部４１は、第１オブジェクト３３の属する階層よりも下位の各階層に属する複数の第２オブジェクト３４から、第２オブジェクト３４を抽出する。実施形態１の抽出部４１は、複数の第２オブジェクト３４から、所定数の第２オブジェクト３４を抽出する。
【００２７】
抽出部４１は、第１オブジェクト３３が有する情報３６を参照して、第２オブジェクト３４を抽出する。抽出部４１は、複数の第２オブジェクト３４から、所定の条件を満足する第２オブジェクト３４を抽出する。
【００２８】
抽出部４１は、第１オブジェクト３３の属する階層の下位の各階層に属する第２オブジェクト３４の日時情報、回数情報、形式情報又は保有数情報を参照する。抽出部４１は、例えば、所定の条件が日時情報を含む場合に、複数の第２オブジェクト３４から、アクセス日時が新しい順に、所定数の第２オブジェクト３４を抽出する。抽出部４１は、例えば、所定の条件が回数情報を含む場合に、アクセス回数が多い順に、所定数の第２オブジェクト３４を抽出する。
【００２９】
抽出部４１は、例えば、所定の条件が形式情報を含む場合に、所定のファイル形式のファイルを第２オブジェクト３４として抽出する。抽出部４１は、例えば、所定の条件が保有数情報を含む場合に、保有するファイル数が多い順に、所定数のフォルダーを第２オブジェクト３４として抽出する。
【００３０】
なお、抽出部４１は、例えば、下位情報を参照して、第３オブジェクト３５を抽出する態様であってもよい。第３オブジェクト３５は、第１オブジェクト３３の属する階層よりも下位の階層に属する。実施形態１の第３オブジェクト３５は、例えば、第１オブジェクト３３の属する階層よりも１つ下位の階層に属する。
【００３１】
以下、図２及び図３を参照して、表示部２が表示する画像６１及びウィンドウについて説明する。図３（ａ）は、図１の表示部２が表示する画像６１及びウィンドウ６２を示す図である。図３（ｂ）は、図１の表示部２が表示する画像６１及びウィンドウ６３を示す図である。
【００３２】
生成部４２は、表示面２２に表示される画像６１を生成する。また、生成部４２は、画像６１上に重ねて表示されるウィンドウ６２、６３を生成する。生成部４２は、第１生成部４３と、第２生成部４４と、第３生成部４５とを有する。
【００３３】
第１生成部４３は、第１オブジェクト３３を含む画像６１を生成する。第１生成部４３は、絵柄を含むアイコン画像で表示される第１オブジェクト３３を含む画像６１を生成する。なお、第１生成部４３は、予め設定された複数の第１オブジェクト３３を含む画像６１を生成する態様であってもよい。
【００３４】
第１オブジェクト３３は、例えば、最も上位の階層に属するオブジェクト３２である。したがって、画像６１は、例えば、ホームキー２３が押下された際の通常画面として表示される。
【００３５】
第２生成部４４は、抽出部４１で抽出された第２オブジェクト３４を配してウィンドウ６２を生成する。したがって、タッチセンサー２１を介して第１オブジェクト３３に対する所定の操作が検出されると、第２オブジェクト３４が配されたウィンドウ６２が生成される。第２生成部４４は、情報３６の名称を表題として含むウィンドウ６２を生成するのが望ましい。
【００３６】
ウィンドウ６２は、画像６１よりもサイズが小さい。ウィンドウ６２には、所定数の第２オブジェクト３４がリスト形式で並べて表示される。第２生成部４４は、リスト形式に並ぶ第２オブジェクト３４がスクロール可能なウィンドウ６２を生成する態様であってもよい。第２オブジェクト３４は、例えば、スライド操作に基づいてスクロールされる。
【００３７】
第３生成部４５は、第３オブジェクト３５を配してウィンドウ６３を生成する。第３生成部４５は、第１オブジェクト３３が複数の場合に、各第１オブジェクト３３に対応するウィンドウ６３を予め生成する態様であってもよい。第３生成部４５は、例えば、第１オブジェクト３３の名称を表題として含むウィンドウ６３を生成するのが望ましい。
【００３８】
ウィンドウ６３は、画像６１よりもサイズが小さい。ウィンドウ６３には、複数の第３オブジェクト３５がリスト形式で並べて表示される。第３生成部４５は、第２生成部４４と同様に、例えば、リスト形式に並ぶ第３オブジェクト３５がスクロール可能なウィンドウ６３を生成する態様であってもよい。第３オブジェクト３５は、例えば、スライド操作に基づいてスクロールされる。
【００３９】
表示制御部４６は、タッチセンサー２１を介して第１オブジェクト３３に対する所定の操作が検出されると、第２オブジェクト３４を表示するように、表示部２を制御する。実施形態１の表示制御部４６は、第２オブジェクト３４を含むウィンドウ６２を表示するように、表示部２を制御する。
【００４０】
表示制御部４６は、例えば、ホームキー２３が押下されたことが検出されると、通常画面として画像６１だけを表示するように、表示部２を制御する。また、表示制御部４６は、画像６１上に重ねて、ウィンドウ６２又はウィンドウ６３を表示するように、表示部２を制御する。表示制御部４６は、第１オブジェクト３３と異なる領域にウィンドウ６２を表示するように、表示部２を制御する。
【００４１】
表示制御部４６は、通常画面において、第１オブジェクト３３に対する所定の操作が検出されると、画像６１とともにウィンドウ６２を表示するように、表示部２を制御する。この結果、ユーザーは、第１オブジェクト３３に対する所定の触操作により、第１オブジェクト３３の属する階層の下位の各階層に属する第２オブジェクト３４から所望の第２オブジェクト３４を表示させることができる。したがって、実施形態１の表示装置１によれば、所望のオブジェクト３２を表示させる操作手順を低減できる。
【００４２】
表示制御部４６は、ウィンドウ６２の表示後に、タッチセンサー２１を介して第１オブジェクト３３に対する離間操作が検出されると、ウィンドウ６２に換えてウィンドウ６３を表示するように、表示部２を制御する。この結果、ユーザーは、例えば、ウィンドウ６２に所望のオブジェクト３２が表示されない場合に、オブジェクト３２に対して所定の操作を繰り返して、所望のオブジェクト３２を表示させることができる。
【００４３】
また、表示制御部４６は、ウィンドウ６２の表示後に、第１オブジェクト３３と異なる領域に対する離間操作が検出されると、ウィンドウ６２の表示を継続するように、表示部２を制御する。この結果、ユーザーは、例えば、ウィンドウ６２に所望のオブジェクト３２が表示された場合に、所望のオブジェクト３２に対して所定の操作をして、所望のオブジェクト３２を表示させることができる。なお、ユーザーは、例えば、第１オブジェクト３３に対して所定の操作をした後に、スライド操作を介して、第１オブジェクト３３と異なる領域に対して離間操作をする。
【００４４】
実施形態１の表示装置１では、ユーザーが第１オブジェクト３３に対して所定の操作及び離間操作をすることにより、ウィンドウ６２とウィンドウ６３とが選択的に表示される。この結果、ウィンドウ６２に所望のオブジェクト３２が表示されない場合であっても、ユーザーの作業効率を低下させることなく、所望のオブジェクト３２を表示させることができる。
【００４５】
続いて、図４を参照して、実施形態１に係る制御部４の表示制御について説明する。図４は、図２の制御部４の表示制御を示すフローチャートである。
【００４６】
図４に示すように、ステップＳ１０において、情報３６から所定の条件が入力される。ステップＳ２０において、ホームキー２３が押下されると、画像６１を表示するように、表示部２を制御する。ステップＳ３０において、第１オブジェクト３３に対する所定の操作を検出すると、抽出部４１によって第２オブジェクト３４を抽出する。ステップＳ４０において、第２生成部４４によって第２オブジェクト３４を含むウィンドウ６２を生成する。ステップＳ５０において、画像６１とともにウィンドウ６２を表示するように、表示部２を制御する。ステップＳ６０において、第１オブジェクト３３に対する離間操作が検出された場合に、ステップＳ７０において、ウィンドウ６２に換えてウィンドウ６３を表示するように、表示部２を制御する。
【００４７】
以下、ステップＳ６０において、第１オブジェクト３３に対する離間操作が検出されない場合について説明する。ステップＳ８０において、第１オブジェクト３３と異なる領域に対する離間操作が検出された場合に、ステップＳ９０において、ウィンドウ６２の表示を継続するように、表示部２を制御する。なお、ステップＳ８０において、第１オブジェクト３３と異なる領域に対する離間操作が検出されない場合には、ステップＳ６０に戻って表示制御を継続する。
【００４８】
以上、実施形態１について説明した。ユーザーは、以前に参照したオブジェクト３２を続けて参照することが多い。実施形態１の表示装置１は、所定の条件が日時情報を含む場合に、アクセス日時が新しい順に抽出された所定数の第２オブジェクト３４、３４が配されたウィンドウ６２を表示する。したがって、表示装置１は、ユーザーが以前に参照したオブジェクト３２を表示させる際の操作手順を低減できる。
【００４９】
また、ユーザーは、アクセス回数の多いオブジェクト３２を参照することも多い。実施形態１の表示装置１は、所定の条件が回数情報を含む場合に、アクセス回数が多い順に抽出された所定数の第２オブジェクト３４、３４が配されたウィンドウ６２を表示する。したがって、表示装置１は、ユーザーがアクセス回数の多いオブジェクト３２を表示させる際の操作手順を低減できる。
【００５０】
ユーザーは、特定のファイル形式のオブジェクト３２を参照することも多い。実施形態１の表示装置１は、所定の条件が形式情報を含む場合に、特定のファイル形式の第２オブジェクト３４、３４が配されたウィンドウ６２を表示する。したがって、表示装置１は、ユーザーが特定のファイル形式のオブジェクト３２を表示させる際の操作手順を低減できる。
【００５１】
ユーザーは、ファイル保有数の多いオブジェクト３２を参照することも多い。実施形態１の表示装置１は、所定の条件が保有数情報を含む場合に、ファイルの保有数が多い順に抽出された所定数の第２オブジェクト３４、３４が配されたウィンドウ６２を表示する。したがって、表示装置１は、ユーザーがファイル保有数の多いオブジェクト３２を表示させる際の操作手順を低減できる。
【００５２】
（実施形態２）
図５及び図６を参照して、本発明の実施形態２に係る表示装置１について説明する。実施形態２に係る表示装置１は、複数の領域に区分された第１オブジェクト３３の各領域に応じた第２オブジェクト３４を表示する点で、実施形態１に係る表示装置１と異なる。図５は、本発明の実施形態２に係る表示装置１の構成を示すブロック図である。図６は、図５の表示装置１の表示部２が表示する画像６１及びウィンドウ６２を示す図である。
【００５３】
実施形態２の制御部４は、割当部４７をさらに備える。割当部４７は、第１オブジェクト３３を複数の領域に区分する。実施形態２の第１生成部４３は、複数の領域に区分された第１オブジェクト３３を含む画像６１を生成する。実施形態２の第１オブジェクト３３は、例えば、中心を通る上下左右の線によって、４つの領域に区分される。複数の領域は、第１領域５１と、第２領域５２と、第３領域５３と、第４領域５４とを含む。各領域の大きさは、例えば、変更可能であるのが望ましく、ユーザーの使用頻度等に応じて設定される。
【００５４】
割当部４７は、複数の領域に、それぞれ、複数の所定の条件を割り当てる。ここで、実施形態２では、所定の条件が複数定められる。複数の条件は、例えば、情報３６の日時情報を含む条件と、情報３６の回数情報を含む条件と、情報３６の形式情報を含む条件と、情報３６の保有数情報を含む条件とを含む。以下、実施形態２では、例えば、第１領域５１に、日時情報を含む条件を割り当てられ、第２領域５２に、回数情報を含む条件を割り当てられ、第３領域５３に、形式情報を含む条件を割り当てられ、第４領域５４に、保有数情報を含む条件を割り当てられたものとして説明する。各領域に割り当てられる条件は、例えば、ユーザーによって設定されてもよい。
【００５５】
実施形態２の抽出部４１は、タッチセンサー２１を介して複数の領域のうちいずれか１つの領域に対する所定の操作が検出されると、第２オブジェクト３４を抽出する。第２オブジェクト３４は、複数の第２オブジェクト３４のうち、１つの領域に割り当てられた所定の条件を満足する。抽出部４１は、例えば、第１領域５１に対する所定の操作が検出されると、第１領域５１に割り当てられた日時情報を含む条件を満足する第２オブジェクト３４を抽出する。
【００５６】
実施形態２の第２生成部４４は、抽出部４１で抽出された第２オブジェクト３４を配したウィンドウ６２を生成する。第２生成部４４は、例えば、抽出された第２オブジェクト３４が満足する所定の条件が含む情報の名称を表題として、ウィンドウ６２を生成するのが望ましい。
【００５７】
表示制御部４６は、抽出された第２オブジェクト３４を表示するように、表示部２を制御する。実施形態２の表示制御部４６は、第２生成部４４で生成されたウィンドウ６２を表示するように、表示部２を制御する。
【００５８】
以上、図５及び図６を参照して説明したように、実施形態２の表示装置１によれば、第１オブジェクト３３に区分された各領域に応じたウィンドウ６２が表示される。したがって、実施形態１と同様に、所望のオブジェクト３２を表示させる操作手順を低減できる。また、実施形態２の表示装置１では、ユーザーが第１オブジェクト３３の領域を選択して所定の操作をすることにより、領域に割り当てられた所定の条件に応じたウィンドウ６２が表示される。この結果、所望のオブジェクト３２を表示させる操作手順をより一層低減できる。
【００５９】
（実施形態３）
図７を参照して、本発明の実施形態３に係る画像形成装置７０について説明する。図７は、画像形成装置７０を示す。画像形成装置７０は、例えば、複写機、プリンター、ファクシミリ、又は複合機である。複合機は、例えば、複写機、プリンター、及びファクシミリのうち少なくとも２つの機器を備える。
【００６０】
画像形成装置７０は、表示部２と、記憶部３と、制御部４と、原稿搬送部１００と、画像読取部１１０と、収納部１２０と、搬送部１３０と、画像形成部１４０と、定着部１５０と、排出部１６０とを備える。シートＴは、用紙搬送方向に沿って画像形成装置４０の内部を搬送される。
【００６１】
表示部２は、実施形態１又は実施形態２に係る表示部２として機能する。記憶部３は、実施形態１又は実施形態２に係る記憶部３として機能する。制御部４は、実施形態１又は実施形態２に係る制御部４として機能する。したがって、画像形成装置７０は、実施形態１又は実施形態２に係る表示装置１を構成する。
【００６２】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００６３】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。画像形成部１４０は、例えば、記憶部３に記憶されるファイルに基づいて、シートＴに画像を形成する。
【００６４】
画像の形成されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００６５】
制御部４は、画像形成装置７０の各要素を制御する。具体的には、制御部４が、記憶部３に格納されたプログラム３１を実行することにより、原稿搬送部１００、画像読取部１１０、収納部１２０、搬送部１３０、画像形成部１４０、及び定着部１５０を制御する。
【００６６】
以上、図７を参照して説明したように、実施形態３によれば、画像形成装置７０は、実施形態１又は実施形態２に係る表示装置１として機能する。したがって、実施形態１又は実施形態２と同様に、所望のオブジェクト３２を表示させる操作手順を低減できる。
【００６７】
以上、図１から図７を参照しながら本発明の実施形態について説明した。但し、本発明は、上記の実施形態に限られるものではなく、その要旨を逸脱しない範囲で種々の態様において実施することが可能である。各図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【産業上の利用可能性】
【００６８】
本発明は、表示装置及び画像形成装置に関するものであり、産業上の利用可能性を有する。
【符号の説明】
【００６９】
１        表示装置
２        表示部
３        記憶部
４        制御部
２１      タッチセンサー
４１      抽出部
４６      表示制御部
【図１】
2017194858.tif 000003
【図２】
2017194858.tif 000004
【図３】
2017194858.tif 000005
【図４】
2017194858.tif 000006
【図５】
2017194858.tif 000007
【図６】
2017194858.tif 000008
【図７】
2017194858.tif 000009